(57)【特許請求の範囲】
【請求項１】
ほぼ正方形の平面導体板をアンテナ素子とし、
線対称形の窓が前記平面導体板に形成してあり、
前記窓の対称線と前記平面導体板の外縁とが交わる２つの交点のうちの一方の交点部分において前記窓の一部が該外縁に開いて開口をなし、
前記対称線方向の前記窓の長さを該窓の深さとするとき、該窓の深さは、前記平面導体板における該対称線に平行な方向の外縁の長さより短く、該外縁の長さに近似し、かつ使用周波数とは無関係であり、
前記平面導体板の外縁の全長を該平面導体板の周囲長とするとき、該周囲長は使用周波数帯域の波長の1.3倍から2.1倍の範囲にあり、
前記開口に望む前記外縁の両端が給電点をなすプレートアンテナ。
【請求項２】
前記窓の開口面積は前記平面導体板の面積の50％程度以内であることを特徴とする請求項１に記載のプレートアンテナ。
【請求項３】
携帯電話機、携帯情報端末などの携帯通信端末、地上デジタルテレビジョン受信装置などの放送受信装置その他の通信放送端末に設けられたアンテナにおいて、
アンテナ素子がほぼ正方形の薄い導体板でなり、
前記導体板には、前記正方形の１辺に対応する１つの外縁の中央から内側に深く切れ込んだ窓が設けてあり、
前記窓は、前記外縁に直交する線に関し対称な形をなし、
前記外縁における前記窓の開口の寸法は、内側に切れ込んだ前記窓の深さより小さく、
前記窓の深さは、前記平面導体板における前記線に平行な方向の外縁の長さより短く、該外縁の長さに近似し、かつ使用周波数とは無関係であり、
前記平面導体板の外縁の全長を該平面導体板の周囲長とするとき、該周囲長は使用周波数帯域の波長の1.31倍から2.12倍の範囲にあり、
前記開口に臨む前記導体板の端部が給電点である
ことを特徴とするプレートアンテナ。
【請求項４】
前記窓の開口面積は前記平面導体板の面積の50％程度以内であることを特徴とする請求項３に記載のプレートアンテナ。
【請求項５】
前記プリント基板が前記携帯通信端末の筐体にヒンジで取り付けられていることを特徴とする請求項４に記載のプレートアンテナ。
【請求項６】
前記ヒンジによる前記プリント基板の開閉角度が９０度であり、前記筐体の背面に近接し、該背面に板面をほぼ平行にした姿勢で保持された状態を該プリント基板の閉状態とし、該背面に対し前記板面をほぼ直角にした姿勢で保持された状態を該プリント基板の開状態とすることを特徴とする請求項５に記載のプレートアンテナ。
【請求項７】
前記ヒンジの回転軸が前記筐体の背面における片方の側縁に設けてあり、前記窓における前記仮想線が前記ヒンジの回転軸に直交することを特徴とする請求項６に記載のプレートアンテナ。
【請求項８】
前記閉状態における前記導体板と前記背面との間隔ｄを一定とし、該間隔ｄを２mm乃至７mmとしたことを特徴とする請求項５乃至７に記載のプレートアンテナ。
【請求項９】
携帯電話機、携帯情報端末などの携帯通信端末、地上デジタルテレビジョン受信装置などの放送受信装置などの通信放送端末において、請求項３乃至８に記載のプレートアンテナを備えることを特徴とする通信放送端末。
【発明の詳細な説明】
【０００１】
【発明の属する技術分野】
本発明は、携帯電話機、携帯情報端末（Personal Digital Assistant, PDA）等の携帯通信端末に関する。
【０００２】
【従来の技術】
図１０は従来の携帯電話機を示す斜視図であり、同図（Ａ）はアンテナ６を筐体５内に収納した状態を示し、同図（Ｂ）はアンテナ６を筐体５から引き出した状態を示す。アンテナ６はホイップ型の半波長ダイポールアンテナである。このように、従来の携帯電話機では、アンテナとしてホイップ型の半波長ダイポールアンテナを採用していた。
【０００３】
図１１は、従来の携帯電話機に備えられた図１０のホイップ型半波長ダイポールアンテナの周波数特性を示すグラフである。本図において、縦軸のＳ１１は、Ｓ１１＝１０＊常用対数｛（反射電力）／（入力電力）｝であり（＊は積の演算を表す）、アンテナ入力に対するアンテナからの反射電力の割合を示している。本図の特性線は、次の条件においてモデル化したアンテナ及び設置環境に関し、計算により求めたものである。
【０００４】
アンテナ：ホイップ型半波長ダイポールアンテナ
ホイップアンテナの太さ：１ｍｍ
ホイップアンテナの長さ：６６ｍｍ（中心周波数は2080MHz）
給電点：素子中央
入力インピーダンス：５０Ω
人体近傍(with human body)環境における人体との距離：２０ｍｍ
人体近傍(with human body)環境における人体のモデル：誘電率εr＝43.211815、導電率σ＝1.256217[S/m]（Ｓはジーメンス,１／Ω）
前記人体近傍環境における人体のモデルはＦＣＣ規格に準拠した条件である。また、人体近傍環境における人体とアンテナとの距離２０ｍｍは、実使用状況を想定した値である。
【０００５】
図１１の特性図は、自由空間(in free space)環境と人体近傍(with human body)環境との２つの設置環境について、ホイップ型半波長ダイポールアンテナの周波数特性を表している。この特性図から、周波数帯域を通常の如く、反射電力が−１０dB以下の帯域とすると、自由空間(in free space)では200MHz、人体近傍(with human body) では160MHzであることが分かる。
【０００６】
【発明が解決しようとする課題】
第３世代携帯電話システムとしてＩＭＴ-2000(International Mobile Telecommunication-2000)が紀元２００１年に実用化される。ＩＭＴ-2000で使用する周波数帯域は1920〜2170MHzの250MHzであり、その変調方式はW-CDMAである。ＩＭＴ-2000のW-CDMA変調方式では1920〜2170MHzの全周波数帯域が利用されるから、ＩＭＴ-2000用携帯電話機のアンテナは250MHzの周波数帯域を必要とする。
【０００７】
前述の如く、従来の携帯電話機で採用されていたホイップ型半波長ダイポールアンテナは、帯域幅が人体近傍(with human body)環境では160MHz程度であり、ＩＭＴ-2000用としては帯域幅において不足であった。また、ＩＭＴ-2000では、携帯電話機をインターネットに接続し、データの高速ダウンロードをする機会が多くなると予測されている。その高速ダウンロードの実現には高利得アンテナが有利であるが、半波長ダイポールアンテナの絶対利得は２.１５dBであり、利得のより大きいアンテナが求められている。
【０００８】
周波数帯域の拡大やアンテナ利得の増大のためには、携帯電話に備えられている半波長ダイポールアンテナに加えて、携帯電話機の筐体をアンテナエレメントとして利用することが一応有利である。ところが、携帯電話機の筐体をアンテナエレメントとして利用すると、人体近傍にアンテナを保持したとき、アンテナの姿勢や手で把持する筐体の位置等に応じ、アンテナの入出力特性、すなわち帯域幅や利得が大きく変動し、通信品質が安定しない。また、アンテナの一部として筐体を利用することは、人体に電流を流すことになり、人体に対する電波の暴露が増大するので、ＥＭＣ(Electro Magnetic Compatibility)の観点から避けることが望ましい。
【０００９】
そこで、本発明の目的は、ＩＭＴ-2000システムに適用するのに十分な帯域幅を有し、また利得も高く、ＩＭＴ-2000システムに必要な帯域幅や利得が筐体に依存することなく得られ、人体近傍でも入出力特性が安定している携帯通信端末用アンテナの提供に有る。
【００１０】
【課題を解決するための手段】
前述の課題を解決するために本発明は次の手段を提供する。
【００１１】
[１]ほぼ正方形の平面導体板をアンテナ素子とし、
線対称形の窓が前記平面導体板に形成してあり、
前記窓の対称線と前記平面導体板の外縁とが交わる２つの交点のうちの一方の交点部分において前記窓の一部が該外縁に開いて開口をなし、
前記対称線方向の前記窓の長さを該窓の深さとするとき、該窓の深さは、前記平面導体板における該対称線に平行な方向の外縁の長さより短く、該外縁の長さに近似し、かつ使用周波数とは無関係であり、
前記平面導体板の外縁の全長を該平面導体板の周囲長とするとき、該周囲長は使用周波数帯域の波長の1.3倍から2.1倍の範囲にあり、
前記開口に望む前記外縁の両端が給電点をなすプレートアンテナ。
【００１２】
[２]前記窓の開口面積は前記平面導体板の面積の50％程度以内であることを特徴とする前記[１]に記載のプレートアンテナ。
【００１３】
[３]携帯電話機、携帯情報端末などの携帯通信端末、地上デジタルテレビジョン受信装置などの放送受信装置その他の通信放送端末に設けられたアンテナにおいて、
アンテナ素子がほぼ正方形の薄い導体板でなり、
前記導体板には、前記正方形の１辺に対応する１つの外縁の中央から内側に深く切れ込んだ窓が設けてあり、
前記窓は、前記外縁に直交する線に関し対称な形をなし、
前記外縁における前記窓の開口の寸法は、内側に切れ込んだ前記窓の深さより小さく、
前記窓の深さは、前記平面導体板における前記線に平行な方向の外縁の長さより短く、該外縁の長さに近似し、かつ使用周波数とは無関係であり、
前記平面導体板の外縁の全長を該平面導体板の周囲長とするとき、該周囲長は使用周波数帯域の波長の1.31倍から2.12倍の範囲にあり、
前記開口に臨む前記導体板の端部が給電点である
ことを特徴とするプレートアンテナ。
【００１４】
[４]前記窓の開口面積は前記平面導体板の面積の50％程度以内であることを特徴とする前記[３]に記載のプレートアンテナ。
【００１５】
[５]前記プリント基板が前記携帯通信端末の筐体にヒンジで取り付けられていることを特徴とする前記[４]に記載のプレートアンテナ。
【００１６】
[６]前記ヒンジによる前記プリント基板の開閉角度が９０度であり、前記筐体の背面に近接し、該背面に板面をほぼ平行にした姿勢で保持された状態を該プリント基板の閉状態とし、該背面に対し前記板面をほぼ直角にした姿勢で保持された状態を該プリント基板の開状態とすることを特徴とする前記[５]に記載のプレートアンテナ。
【００１７】
[７]前記ヒンジの回転軸が前記筐体の背面における片方の側縁に設けてあり、前記窓における前記仮想線が前記ヒンジの回転軸に直交することを特徴とする前記[６]に記載のプレートアンテナ。
【００１８】
[８]前記閉状態における前記導体板と前記背面との間隔ｄを一定とし、該間隔ｄを２mm乃至７mmとしたことを特徴とする前記[５]乃至[７]に記載のプレートアンテナ。
【００１９】
[９]携帯電話機、携帯情報端末などの携帯通信端末、地上デジタルテレビジョン受信装置などの放送受信装置などの通信放送端末において、前記[３]乃至[８]に記載のプレートアンテナを備えることを特徴とする通信放送端末。
【００２０】
【発明の実施の形態】
次に図面を参照して本発明の実施の形態を説明する。図１はその実施の形態である携帯電話機を示す図であり、同図（Ａ）及び（Ｂ）は携帯電話機を側背面から見た斜視図である。図において、１は本発明になるプレートアンテナの一実施の形態、２はそのプレートアンテナ１を備えた携帯電話機の筐体、２aは携帯電話機の筐体２の背面、2bは携帯電話機２の筐体の背面２aにおける片方の側縁（稜）、11はプレートアンテナ１のアンテナエレメントをなす薄い銅箔、12は窓11a（図２）の後ろ側に見えるプリント基板、13はプラスチック等の絶縁体製の矩形の枠である。
【００２１】
本発明の携帯電話機は、本発明の一実施の形態であるプレートアンテナ１を備える。図１（Ａ）はプレートアンテナ１を閉じた状態（後述のlayの状態）の携帯電話機を示し、図１（Ｂ）はプレートアンテナ１を開いた状態（後述のstandの状態）の携帯電話機を示す。プレートアンテナ１は、銅箔11、プリント基板12および枠13を有してなる。枠13は、携帯電話機の筐体２における背面2aの片方の側縁2bにヒンジ（図示省略）で取り付けられている。このヒンジは、携帯電話機の筐体２における背面2aに対し銅箔11の板面を間隔ｄで平行にしたアンテナ閉状態〔図1（Ａ）〕と、その背面2aに対し銅箔11の板面を直角にしたアンテナ開状態〔図1（Ｂ）〕との２つの姿勢の間で任意の角度（背面2aに対する銅箔11の板面の角度）でアンテナ１を保持する。
【００２２】
図１及び図２に示した本発明の実施形態のプレートアンテナ１に関し、プレートアンテナ１の銅箔11の板面をアンテナ面と定義し、アンテナ面を人体に直角に設置した状態をStand、アンテナ面を人体に平行に設置した状態をLayとする（図３、図４及び図６におけるStand及びLayの記述も同じ意味である）。
【００２３】
プリント基板12の平面形は矩形であり、銅箔11はプリント基板12にプリントされている。銅箔11は横長矩形の形にエッチングされ、銅箔11は横長矩形の形の窓11a（図２）を有する。エッチングにより、銅箔11（前述の導体板に相当）には外縁をなす１つの辺11bから内側に深く切れ込んだ窓11aが設けてある。辺11bおける窓11aの開口寸法L2は、該窓11aにおける窓11aの深さL1より小さい。枠13はヒンジで筐体２に連結され、プリント基板１２を内側に保持している。プリント基板12の板面に直交する方向における枠13の厚みｔは、アンテナ閉状態で背面2aと銅箔11の板面との間隔ｄを確保するためのものである。この実施の形態ではｄ＝ｔ＝６ｍｍである。
【００２４】
図２は図１の実施の形態においてアンテナエレメントをなす銅箔11を示す図である。図２（Ａ）は銅箔11の平面形を示す平面図であり、同図（Ｂ）は銅箔11平面に関するＸＹＺ直交座標系を示す図である。ＸＹＺ直交座標系におけるY軸及びZ軸が銅箔11の表面にある。ここで、３はそのプレートアンテナ１の給電点に接続される信号源、11aは銅箔11に開けられた横長矩形の窓、11bは銅箔11における片方の側縁（辺）をそれぞれ示す。銅箔11の厚みは50ミクロン、銅箔11の横幅Wは51ｍｍ、縦幅Tは52ｍｍである。また、窓11aの深さL1は45mm、窓11aの幅（この実施の形態では、窓11aの開口寸法L2に同じ）は2mmである。図２（Ａ）に現れているように、窓11aの右端が切れており、銅箔11が上下に分断されている如くであるが、銅箔11における上下の部分は窓11aの右端においても線状の銅箔で繋がっている。窓11aの左端は給電点であり、給電点は携帯電話機の筐体２内に設けられている送受信機に給電線で接続される。図２では給電線が接続される給電点の位置に信号源が記号で表されている。ヒンジの位置における給電線は、被覆された可撓性の平行線路でなる。
【００２５】
呼出し信号は、図１（Ａ）に示すアンテナ閉状態で通常は待ち受ける。そして、呼出し信号を受信し、呼出し音を認識したときに携帯電話機の所持者は、菱形アンテナ1を親指などで操作し、図１（Ｂ）に示すアンテナ開状態に通常は設定し、信号の交信をする。勿論、図１（Ｂ）のアンテナ開状態で呼出し信号を待ち受けでき、また図１（Ａ）のアンテナ閉状態でも信号の交信ができる。しかしながら、一般的には、図１（Ａ）のアンテナ閉状態で呼出し信号を待ち受けるので、同図の状態を待ち受け体勢(on stand-by)と呼び、図１（Ｂ）のアンテナ開状態では交信するので、同図の状態を使用体勢(active)と呼ぶ。
【００２６】
図１及び図２に示した実施の形態のプレートアンテナに関するアンテナ特性を計算により求めた。図３は、図１及び図２のプレートアンテナの周波数特性を示すグラフである。本図において、縦軸（S11）はＳ11＝１０＊常用対数｛（反射電力）／（入力電力）｝であり（＊は積の演算を表す）、アンテナ入力に対するアンテナからの反射電力の割合を示している。本図の特性線は、次の条件においてモデル化したアンテナ及び設置環境に関し求めたものである。
【００２７】
アンテナ：図１、図２に示したプレートアンテナ
中心周波数：2100MHz
入力インピーダンス：５０Ω
人体近傍(with human body)環境における人体との距離：２０ｍｍ
人体近傍(with human body)環境における人体のモデル：誘電率εr＝43.211815、導電率σ＝1.256217[S/m]（Ｓはジーメンス,１／Ω）
前記人体近傍環境における人体のモデルはＦＣＣ規格に準拠した条件である。また、人体近傍環境における人体とアンテナとの距離２０ｍｍは、実使用状況を想定した値である。
【００２８】
図３の特性図は、[１]自由空間(in free space)環境と、[２]人体近傍(with human body)であって、図１（Ｂ）の使用体勢(stand)環境と、[３]人体近傍(with human body)であって、図１（Ａ）の待ち受け体勢(lay)環境との３つの設置環境について、本実施の形態のプレートアンテナの周波数特性を表している。
【００２９】
このアンテナ特性の計算から、周波数帯域を通常の如く、反射電力が−１０dB以下の帯域とすると、[１]自由空間(in free space)では1180MHz、[２]人体近傍(with human body)であって、図１（Ｂ）の使用体勢(active, stand)環境では1250MHz、[３]人体近傍(with human body)であって、図１（Ａ）の待ち受け体勢(on stand-by, lay)環境では1520MHzであることが分かった。図３の特性図で明らかなように、[２]人体近傍(with human body)であって、図１（Ｂ）の使用体勢(active)環境および[３]人体近傍(with human body)であって、図１（Ａ）の待ち受け体勢(on stand-by)環境では、IMT-2000の所要周波数帯域である1920〜2170MHzにおいて、Ｓ11（縦軸）は十分に−10dB以下である。
【００３０】
図４は、図３に示した本発明の実施の形態であるプレートアンテナの周波数特性図と、図１１に示した従来のホイップ型半波長ダイポールアンテナの周波数特性図とを重ね合わせて示す図である。特性線のそれぞれに付してある（Ｎ）は本発明（New）を表し、（D）はホイップ型半波長ダイポールアンテナを表す。本図により両アンテナの特性を比較すると、本発明になるプレートアンテナの周波数帯域が従来のホイップ型半波長ダイポールアンテナの周波数帯域より格段に広いことは一目瞭然である。
【００３１】
図５は、図１及び図２に示した実施の形態のプレートアンテナに関する自由空間中の放射特性と、図１０に示した従来のホイップ型半波長ダイポールアンテナの自由空間中の放射特性とを重ね合わせて示す図である。どちらのアンテナも周波数は2100MHzにセットされている。図５（Ａ）は、従来のホイップ型半波長ダイポールアンテナ及び本実施の形態のプレートアンテナに関するＸＹＺ直交座標系を示す図である。図５（Ｂ）は、すべての方向に均一に電力を放射する仮想的なアンテナからの電力に対し、どれだけの利得を有するかをdBで示したものである。図５（Ｂ）に示されているように、本実施の形態のプレートアンテナは、90°及び270°の方向では従来のホイップ型半波長ダイポールアンテナと互角であり、０°及び180°の方向では従来のホイップ型半波長ダイポールアンテナより少なくとも3dB利得において勝っている。
【００３２】
本発明の一実施の形態として示した図１、図２のプレートアンテナは、従来のスロットアンテナ又はノッチアンテナに形状において近似している。しかし、スロットアンテナでは、図２のL1は使用波長の1/2程度であることが必要である。図２の実施の形態では、L1は45ｍｍであるので、図１、図２の実施の形態のアンテナがスロットアンテナであると仮定すると、アンテナ入力特性が最も良好となると予想される周波数は、（光速）/（45ｍｍ×2）＝3333MHz、となるはずである。ところが、図3の特性図から読み取れるところによれば、本実施の形態のアンテナは3333MHzよりもかなり低い周波数で良好な入力特性を示している。一方、本実施の形態のアンテナがノッチアンテナであると仮定すると、図2のL1は使用波長の1/4程度であることが必要である。この場合、アンテナ入力特性が最も良好となると予想される周波数は、（光速）/（45ｍｍ×4）＝1667MHz、となるはずである。また、ノッチアンテナであると仮定すると、基本的には図５(B)の270°方向またはその近くに最も強い電力放射が生ずるはずである。これらのことから、本実施の形態のアンテナはスロットアンテナ或いはノッチアンテナとは基本的に異なる原理で電波を効率的に放射していることが分かる。
【００３３】
図６は、図１及び図２に示した実施の形態のプレートアンテナの利得と、図１０に示したホイップ型半波長ダイポールアンテナ６の利得とを縦軸にとり、アンテナ利得の周波数特性を比較して示す特性図である。縦軸の利得（Gain）は、全ての方向に均一に電力を放射する仮想アンテナからの電力に対する計算対象のアンテナ（図１及び図２のプレートアンテナ１、ならびに図１０の従来のダイポールアンテナ５）から放射される電力の利得（両アンテナの電力の比の対数値）を表す。横軸の周波数範囲はＩＭＴ-2000システムの周波数範囲1920〜2170MHzの全域を含んでいる。なお、図６では、図１及び図２に示した本発明の実施形態のプレートアンテナ１の特性図には（Ｎ）と付記し、図１０の従来のダイポールアンテナ６については（Ｄ）と付記した。
【００３４】
図６の特性図は、アンテナが人体の近傍に配置されたとき、即ちアンテナが人体から２０ｍｍ離して置かれた状態では、プレートアンテナ１の利得はダイポールアンテナ６の利得よりＩＭＴ-2000システムの全周波数帯域（1920〜2170MHz）で高く、特に上記Layの姿勢では少なくとも2.5dB高い。
以上に説明したことから、本発明の実施形態のプレートアンテナ１（図１及び図２）は、ＩＭＴ-2000システムに適用するのに十分な帯域幅を有し（図３）、また利得も高い（図６）ことが分かる。また、本実施形態のプレートアンテナ１では、ＩＭＴ-2000システムに必要な帯域幅や利得が筐体に依存することなく得られる。帯域幅や利得が筐体に依存しないことから、このプレートアンテナ１の入出力特性は人体近傍でも安定している。
【００３５】
次に、図７、図８および図9を参照し、本発明において図１、図２に示した実施の形態から窓の形を変形させたときについて説明する。図７（Ａ）は、図１、図２に示した実施の形態のプレートアンテナを示す。図７（Ｂ）は、窓101aの開口面積をアンテナエレメント101（前述の導体板に相当）の面積の50％程度にまで菱形状に広げたプレートアンテナ100を示す。また、図７（Ｃ）は、アンテナエレメント201（前述の導体板に相当）における窓201aの開口面積を図７（Ａ）の窓11aと同図（Ｂ）の窓101aとの中間程度にしたプレートアンテナ200を示す。
【００３６】
図８は、図７における（Ａ）、（Ｂ）及び（Ｃ）についてアンテナ入力特性を重ね合わせて示した図である。図７（Ａ）の例では、帯域幅が1180MHzであり、他の２例に比べて格段に広い。また、図７（Ｂ）の例では、帯域幅が480MHzであり、比較的狭くなっている。図７（Ｃ）の例では、帯域幅が1000MHzである。
図９は、図７（Ａ）、（Ｂ）及び（Ｃ）のプレートアンテナについて、周波数2100MHzにおける放射特性を比較して示す。図９における放射特性線（Ａ）、（Ｂ）及び（Ｃ）は、図７（Ａ）、（Ｂ）及び（Ｃ）のプレートアンテナの放射特性をそれぞれ示す。本図から、図７（Ａ）のプレートアンテナは、他の２例に比べ放射はやや小さく、図７（Ｂ）のプレートアンテナは帯域幅が狭い反面、放射は最も強くなっている。
【００３７】
このように、本発明のプレートアンテナは、アンテナエレメント（即ち、導体板）に設ける窓の形状や開口面積を利用形態に応じて選択することによって、入力特性や放射特性を広い範囲で変化させることができ、融通性に優れている。
【００３８】
図１２は、地上デジタルテレビジョン放送を受信するのに好適な本発明のプレートアンテナを示す図である。図１２（Ａ）は正面図、（Ｂ）は右側面図、（Ｃ）は平面図である。図において、１４はアンテナエレメントであり、図１及び図２におけるアンテナエレメント11に相当する。14aは窓、１５は反射板である。本実施の形態を470MHz〜770MHzのＵＨＦ全チャンネルに適用するとき、図１２における各部の寸法は次のようになる。
R1:300mm, R2:300mm, G:150mm, E1:200mm, E2:220mm。
【００３９】
ここまで実施の形態を説明するのに当たり、理解を容易にするために、アンテナなどの構造、寸法、材料などを具体的に示した。しかしながら、本発明の技術的範囲はこの実施の形態に限定されるものではない。例えば、本発明のプレートアンテナは、携帯電話機だけではなく、携帯情報端末（ＰＤＡ）等の携帯通信端末にも適用できる。また、実施の形態では、プレートアンテナにおけるアンテナエレメント（アンテナ素子）となる導体板を銅箔とし、この銅箔をプリント基板に印刷により製作するとしたが、導体板は自立的に形状を保持できる厚さ（通常0.1から0.2mm）の金属板等でも差し支えない。さらに、導体板に設ける窓の平面形は、矩形や菱形など各種の形が可能である。また、その窓の縦方向の長さと横方向の長さとの比、すなわちアスペクト比の選択により、また導体板の面積に対する窓の面積の比の選択により、をアンテナの特性を広い範囲で選択できる。導体板の外側の輪郭は、実施の形態では矩形であったが、必ずしも矩形でなくても、導体板が実質的にプレートアンテナとして作用する輪郭であれば差し支えない。図１及び図２の実施の形態では、プレートアンテナは携帯電話機の背面の側縁にヒンジで取り付けたが、プレートアンテナは携帯通信端末の外形に応じて適切な位置に設ければよく、取り付け手段もヒンジに代えてスライド式にしても差し支えない。図１及び図２の実施の形態では、プレートアンテナの開閉角度を９０度としたが、開閉角度は設計上の必要に応じ任意に選択できる。更に本発明のプレートアンテナは、携帯通信端末用だけではなく、地上デジタルテレビジョン放送などの受信アンテナとしても好適である。
【００４０】
【発明の効果】
以上に詳しく説明したように、本発明によれば、ＩＭＴ-2000システムに適用するのに十分な帯域幅を有し、また利得も高く、ＩＭＴ-2000システムに必要な帯域幅や利得が筐体に依存することなく得られ、人体近傍でも入出力特性が安定している携帯通信端末用アンテナを提供できる。また、本発明のプレートアンテナは、反射板を備えて指向性を高めることにより、所要方向に関し高利得を実現でき、従来の八木アンテナに比べ小型軽量であるので、地上デジタルテレビジョン放送受信用アンテナとして好適である。
【図面の簡単な説明】
【図１】  本発明の実施の形態である携帯電話機を示す図であり、同図（Ａ）及び（Ｂ）は携帯電話機を側背面から見た斜視図である。
【図２】  図１の実施の形態においてアンテナエレメントをなす銅箔11を示す図である。本図（Ａ）は銅箔11の平面形を示す平面図であり、本図（Ｂ）はＸＹＺ直交座標系を示す図である。
【図３】  図１及び図２のプレートアンテナ１の周波数特性を示すグラフである。
【図４】  図３に示した本発明の実施の形態であるプレートアンテナ１の周波数特性図と、図１１に示した従来のホイップ型半波長ダイポールアンテナ６の周波数特性図とを重ね合わせて示す図である。
【図５】  図１及び図２に示した実施の形態のプレートアンテナ１に関する放射特性を示す図である。
【図６】  図１及び図２に示した実施の形態のプレートアンテナ１の利得と、図１０に示したホイップ型半波長ダイポールアンテナ６の利得とを縦軸にとり、アンテナ利得の周波数特性を比較して示す特性図である。
【図７】  本発明において図１、図２に示した実施の形態から窓の形を変形させた例を示し、（Ａ）は図１、図２に示した実施の形態のプレートアンテナを示す、（Ｂ）は窓101aの開口面積をアンテナエレメント101の面積の50％程度にまで菱形状に広げたプレートアンテナ100を示し、（Ｃ）はアンテナエレメント201における窓201aの開口面積を図７（Ａ）の窓11aと同図（Ｂ）の窓101aとの中間程度にしたプレートアンテナ200を示す。
【図８】  図７における（Ａ）、（Ｂ）及び（Ｃ）のプレートアンテナについてアンテナ入力特性を示した図である。
【図９】  図７（Ａ）、（Ｂ）及び（Ｃ）のプレートアンテナについて、周波数2100MHzにおける放射特性を比較して示す図である。
【図１０】  従来の携帯電話機を示す斜視図であり、同図（Ａ）はアンテナ６を筐体５内に収納した状態を示し、同図（Ｂ）はアンテナ６を筐体５から引き出した状態を示す図である。
【図１１】  従来の携帯電話機に備えられた図１０のホイップ型半波長ダイポールアンテナ６の周波数特性を示すグラフである。
【図１２】  地上デジタルテレビジョン放送を受信するのに好適な本発明のプレートアンテナを示す図である。
【符号の説明】
１…プレートアンテナ
２…携帯電話機の筐体
２a…携帯電話機の筐体２の背面
2b…携帯電話機２の筐体の背面２aにおける片方の側縁（稜）
３…プレートアンテナ１の給電点
５…従来の携帯電話機の筐体
６…半波長ダイポールアンテナ
11…プレートアンテナ１のアンテナエレメントをなす薄い銅箔
11a…銅箔11に開けられた窓
11b…銅箔11における片方の側縁
12…窓11aの後ろ側に見えるプリント基板
13…アルミニューム製の矩形の枠
【図１】
0003769196.tif 000002
【図２】
0003769196.tif 000003
【図３】
0003769196.tif 000004
【図４】
0003769196.tif 000005
【図５】
0003769196.tif 000006
【図６】
0003769196.tif 000007
【図７】
0003769196.tif 000008
【図８】
0003769196.tif 000009
【図９】
0003769196.tif 000010
【図１０】
0003769196.tif 000011
【図１１】
0003769196.tif 000012
【図１２】
0003769196.tif 000013